(57)【要約】【課題】札入れから紙幣を取出す際に、指先が紙幣の表面で滑ってしまうのを防止して、紙幣を一枚づつ取出すことができるようにすること。【解決手段】本考案では、紙幣を収容するための紙幣収容部を有する財布や集金袋などの札入れにおいて、前記紙幣収容部の開口部近傍に滑り止め剤を配設することにした。また、本考案では、前記滑り止め剤を前記紙幣収容部の内側に配設することにした。また、本考案では、前記滑り止め剤を舌片に収容するとともに、この舌片の上端部を前記紙幣収容部の開口部に取付け、舌片と紙幣収容部の内壁とで紙幣の上端縁部を挟持できるようにした。さらに、本考案では、前記滑り止め剤よりも下方に硬貨を収容するための硬貨収容部を配置することにした。【選択図】図１
0003126294.tif 000002
【実用新案登録請求の範囲】
【請求項１】
紙幣を収容するための紙幣収容部を有する財布や集金袋などの札入れにおいて、
前記紙幣収容部の開口部近傍に滑り止め剤を配設したことを特徴とする札入れ。
【請求項２】
前記滑り止め剤を前記紙幣収容部の内側に配設したことを特徴とする請求項１に記載の札入れ。
【請求項３】
前記滑り止め剤を舌片に収容するとともに、この舌片の上端部を前記紙幣収容部の開口部に取付け、舌片と紙幣収容部の内壁とで紙幣の上端縁部を挟持できるようにしたことを特徴とする請求項１又は請求項２に記載の札入れ。
【請求項４】
前記滑り止め剤よりも下方に硬貨を収容するための硬貨収容部を配置したことを特徴とする請求項１〜請求項３のいずれかに記載の札入れ。
【考案の詳細な説明】
【技術分野】
【０００１】
本考案は、紙幣を収容するための紙幣収容部を有する財布や集金袋などの札入れに関するものである。
【背景技術】
【０００２】
従来より、紙幣を持ち歩く際には、財布や集金袋などの札入れが広く利用されている。
【０００３】
この財布や集金袋などの札入れは、紙幣を収容するために上端を開口した袋状の紙幣収容部を形成している。
【０００４】
そして、紙幣を持ち歩く際には、札入れに形成した紙幣収容部に紙幣を束ねて収容するようにしている（たとえば、特許文献１参照。）。
【０００５】
【特許文献１】特開２０００−１０６９２８号公報
【考案の開示】
【考案が解決しようとする課題】
【０００６】
ところが、上記従来の札入れでは、紙幣収容部に紙幣が束ねられた状態で収容されているために、紙幣収容部から紙幣を取出す際に、二枚重なった状態で取出してしまうなど誤って必要以上の枚数の紙幣を取出してしまうおそれがあった。
【０００７】
また、誤って必要以上の枚数の紙幣を取出さないようにするために、指先を舌で舐めてから紙幣を一枚づつ取出すようにしていたが、他人に紙幣を渡す際には、見た目が悪く、紙幣を受け取る人に対して嫌悪感を与えてしまうおそれがあった。
【課題を解決するための手段】
【０００８】
そこで、請求項１に係る本考案では、紙幣を収容するための紙幣収容部を有する財布や集金袋などの札入れにおいて、前記紙幣収容部の開口部近傍に滑り止め剤を配設することにした。
【０００９】
また、請求項２に係る本考案では、前記請求項１に係る本考案において、前記滑り止め剤を前記紙幣収容部の内側に配設することにした。
【００１０】
また、請求項３に係る本考案では、前記請求項１又は請求項２に係る本考案において、前記滑り止め剤を舌片に収容するとともに、この舌片の上端部を前記紙幣収容部の開口部に取付け、舌片と紙幣収容部の内壁とで紙幣の上端縁部を挟持できるようにした。
【００１１】
また、請求項４に係る本考案では、前記請求項１〜請求項３のいずれかに係る本考案において、前記滑り止め剤よりも下方に硬貨を収容するための硬貨収容部を配置することにした。
【考案の効果】
【００１２】
そして、本考案では、以下に記載する効果を奏する。
【００１３】
すなわち、請求項１に係る本考案では、紙幣を収容するための紙幣収容部を有する財布や集金袋などの札入れにおいて、紙幣収容部の開口部近傍に滑り止め剤を配設しているために、紙幣収容部から紙幣を取出す際に、指先に滑り止め剤を転写することができ、これにより、紙幣収容部に収容した紙幣を数え間違えすることなく一枚づつ確実に取出すことができる。
【００１４】
また、請求項２に係る本考案では、滑り止め剤を紙幣収容部の内側に配設しているために、札入れを鞄やポケットなどに収容しても、滑り止め剤が鞄や服などに転着してしまうのを防止することができる。
【００１５】
また、請求項３に係る本考案では、滑り止め剤を舌片に収容するとともに、この舌片の上端部を紙幣収容部の開口部に取付け、舌片と紙幣収容部の内壁とで紙幣の上端縁部を挟持できるようにしているために、誤って紙幣収容部から紙幣が抜け落ちてしまうのを防止することができる。
【００１６】
また、請求項４に係る本考案では、滑り止め剤よりも下方に硬貨を収容するための硬貨収容部を配置しているために、滑り止め剤と硬貨収容部とが重なることがなく、滑り止め剤を設けたことによる札入れの厚みの増大を抑制することができる。
【考案を実施するための最良の形態】
【００１７】
以下に、本考案に係る札入れの具体的な構成について図面を参照しながら説明する。
【００１８】
図１〜図３は、本考案を適用した財布１を示した図である。財布１は、２枚の皮製の横長矩形板状のシート2,3の左右端部と下端部とを縫合して、内部に紙幣４を収容するための紙幣収容部５を形成している。
【００１９】
財布１は、内側のシート２の外側部左側にカード収納部６を形成するとともに、内側のシート２の外側部右側に硬貨を収容するための硬貨収容部７を形成している。
【００２０】
さらに、財布１は、外側のシート３の内側上端部に矩形板状のケーシング８を取付け、そのケーシング８に滑り止め剤９を収容している。
【００２１】
滑り止め剤９は、固形状のものでもよく、ゼリー状のものでもよく、また、スポンジなどの吸収体に吸収させた液体状のものでもよく、指先に付着して紙幣４を数える際に紙幣４の表面で指先が滑らないようにすることができるものであればよい。
【００２２】
このように、財布１では、外側のシート３の内側上端部に滑り止め剤９を収容したケーシング８を取付けることで、紙幣収容部５の内側の開口部近傍に滑り止め剤９を配置している。
【００２３】
そのため、財布１の使用者は、財布１の紙幣収容部５から紙幣４を取出す際に、指先に滑り止め剤９を転写してから、紙幣４を一枚づつ取出すことができる。
【００２４】
そして、財布１の使用者は、指先に滑り止め剤９を転写することで紙幣収容部５に収容した紙幣４を数え間違いすることなく一枚づつ確実に取出すことができる。
【００２５】
特に、上記財布１では、滑り止め剤９を紙幣収容部５の内側に配設しているために、財布１を鞄やポケットなどに収容しても、滑り止め剤９が鞄や服などに転着してしまうのを防止することができる。
【００２６】
また、上記財布１では、図２及び図３に示すように、硬貨収容部７よりも上方に滑り止め剤９を収容したケーシング８を配置して、硬貨収容部７と滑り止め剤９とが重なり合わないようにしている。
【００２７】
このように、上記財布１では、滑り止め剤９よりも下方に硬貨を収容するための硬貨収容部７を配置しているために、滑り止め剤９と硬貨収容部７とが重なることがなく、滑り止め剤９を設けたことによる財布１の厚みの増大を抑制することができる。
【００２８】
さらに、上記財布１では、外側のシート３の内側上端部に滑り止め剤９を収容したケーシング８を取付けているが、本考案は、このような形態に限られず、図４に示すように、外側のシート３の内側上端部に舌片10の上端部を取付け、舌片10を上端部を中心にして上下に移動できるようにしておき、この舌片10に滑り止め剤９を収容するようにしてもよい。
【００２９】
このように、滑り止め剤９を舌片10に収容するとともに、この舌片10の上端部を紙幣収容部５の開口部に取付けた場合には、舌片10と紙幣収容部５の内壁（シート３の内側）とで紙幣４の上端縁部を挟持することができ、誤って紙幣収容部５から紙幣４が抜け落ちてしまうのを防止することができる。
【００３０】
また、本考案は、紙幣４を収容するための紙幣収容部５を形成した札入れに適用することができ、上記財布１に限られず、図５に示すように、集金袋11に適用することもできる。なお、この集金袋11では、紙幣収容部５を袋状に形成して、内部に紙幣４と硬貨12とを混在させて収容できるようにしている。
【図面の簡単な説明】
【００３１】
【図１】本考案に係る財布を示す斜視図。
【図２】同正面図。
【図３】同側面拡大断面図。
【図４】舌片を示す側面拡大断面図。
【図５】本考案に係る集金袋を示す斜視図。
【符号の説明】
【００３２】
１  財布
2,3  シート
４  紙幣
５  紙幣収容部
６  カード収納部
７  硬貨収容部
８  ケーシング
９  滑り止め剤
10  舌片
11  集金袋
12  硬貨
【図１】
0003126294.tif 000003
【図２】
0003126294.tif 000004
【図３】
0003126294.tif 000005
【図４】
0003126294.tif 000006
【図５】
0003126294.tif 000007